(57)【要約】【課題】故障や異常が発生したとき、迅速かつ容易に原因を特定することができる光合分波器を提供する。【解決手段】光合分波器１は筐体２を備え、筐体２の上側に第１〜第５レンズ４〜８が設けられ、下側には反射膜１０、第１〜第４フォトダイオード１１〜１４が備えられている。上側のレンズと下側のフォトダイオードとの間の光の光路には第１〜第３フィルタが配置され、それぞれ、特定波長の光を透過し、それ以外の光は反射される。反射膜１０は大部分の光を反射するが、一部の光は透過可能となっており、反射膜１０を透過した光はフォトダイオードにより受光することができる。フォトダイオード８により受光した光のパワーを計測することで、光合分波器の故障箇所や異常箇所等を容易に特定することができる。【選択図】  図１
2008026396.tif 000002
【特許請求の範囲】
【請求項１】
透過波長帯の光を透過し、それ以外の波長の光を反射する、当該透過波長帯がそれぞれ異なる複数のフィルタと、これらのフィルタと対向して配置された反射膜とを有し、これらのフィルタと反射膜との間で光を往復させることで波長の異なる光を分波或いは合波させる光合分波器であって、
さらに、前記反射膜を透過した光を受光する複数の受光素子を前記複数のフィルタに対応して備えていることを特徴とする光合分器。
【請求項２】
前記受光素子のそれぞれは、前記フィルタの一に対し光学調芯可能であることを特徴とする請求項１に記載の光合分波器。
【請求項３】
複数の光ファイバを有し、各光ファイバの先端にはコネクタが備えられ、前記コネクタが前記複数のフィルタの透過光に対してそれぞれ備えられていることを特徴とする請求項１又は２に記載の光合分器。
【発明の詳細な説明】
【技術分野】
【０００１】
本発明は、複数の波長を有する光を波長毎に光を分波したり、複数の異なる波長の光を合波する光合分波器に関する。
【０００２】
近年、光ファイバによる光通信が急速に発展してきており、波長の異なる複数の光信号を多重化して１本の光ファイバで伝送する波長多重伝送方式を利用した光通信が頻繁に行なわれている。この波長多重通信方式では、異なる波長の光信号を重ね合わせることで光合波を行う際、或いは、多重化された光信号を各波長に分けることで光分波を行う際に光合分波器が用いられる。このような光合分波器の従来の一例として下記特許文献１を紹介する。
【０００３】
特許文献１に記載された光合分波器は、図７に示すように、光合分器１００において、波長λ１、λ２、λ３、λ４の光を多重した光が、光ファイバ１０１から出射されアイクロアレー１０２のマイクロレンズ１０３でその光軸を曲げられて平行光になり、ミラー層１０４で反射してフィルタ層１０５に入射する。フィルタ１０６ではでは波長λ１の光のみ透過するので、それ以外の波長の光は反射され、再びミラー層１０４で反射されてフィルタ層１０５に入射する。フィルタ１０７では波長λ２の光が透過され、それ以外が反射され、以降、同様にしてフィルタ１０８では波長λ３の光が透過され、フィルタ１０９では波長λ４の光が透過する。フィルタ１０６〜１０９を透過した光は各マイクロレンズ１１０〜１１３で光軸を曲げられて各光ファイバ１１４〜１１７に入り、これらの光ファイバ１１４〜１１７により各波長の光を取り出すことができる。波長λ１〜λ４の光を合波するときは、これらの工程と逆の工程をたどる。
【特許文献１】特開２００４−２０６０５７号公報
【発明の開示】
【発明が解決しようとする課題】
【０００４】
光信号の合波或いは分波において、特定波長の光信号の伝送品質が劣化した際に、その劣化原因を調査しなければならず、その原因が光合分波器にあるのか、或いは光合波器以外にあるのかを特定するのに長い時間を要する。一例として、光合分波器に原因があることを特定する場合、まず最初に光信号の送信器や受信器を各波長毎に調べ、続いて、信号が通過するパスである光ファイバ、コネクタ、モニタ等を各波長毎に丹念に調べたうえで、これらに異常がないことを確認して、光合分波器の原因特定を行っている。また、各パスの異常の有無確認のときには別の光信号源を用いて検査することがあり、特定の光信号の伝送品質が劣化した時は、その原因の特定までに多大な時間を要していた。
【０００５】
本発明の主な目的は、光合分波器にモニタ機能を搭載し、光信号をモニタするとともに、光信号に異常が発生した場合には、迅速かつ容易に原因を特定できるようにした光合分器を提供することにある。
【課題を解決するための手段】
【０００６】
本発明に係る光合分器は、透過波長帯の光を透過し、それ以外の波長の光を反射する、当該透過波長帯がそれぞれ異なる複数のフィルタと、これらフィルタと対向して配置された反射膜とを有し、これらのフィルタと反射膜との間で光を往復させることで波長の異なる光を分波或いは合波させる光合分波器であって、さらに、前記反射膜を透過した光を受光する複数の受光素子を前記複数のフィルタに対応して備えていることである。
【０００７】
また、本発明に係る光合分波器は、前記受光素子のそれぞれは、前記フィルタの一に対し光学調芯可能であることが望ましい。
【０００８】
また、本発明に係る光合分波器は、複数の光ファイバを有し、各光ファイバの先端にはコネクタが備えられ、前記コネクタが前記複数のフィルタの透過光に対してそれぞれ備えられていることが望ましい。
【発明の効果】
【０００９】
本発明に係る光合分波器によれば、光合分波器にモニタ機能を搭載しているので、光信号をモニタして異常を予測することができたり、或いは光信号に異常が発生した場合には、原因を即座に特定することができる。
【発明を実施するための最良の形態】
【００１０】
本発明に係る光合分波器の実施形態を図面を参照しながら詳細に説明する。図１は本発明に係る光合分波器の主な構成を説明した説明図である。本実施形態では、一例として、波長の異なる４つの光を合波したり、分波する光合分波器について説明する。この光合分波器１は、筐体２を有し、この筐体２の上面部３には、５つのレンズ４、５、６、７、８が備えられている。筐体２の下面部９近傍には、反射膜１０が備えられ、この反射膜１０とレンズ４〜８との間が光の光路となっている。反射膜１０は光の大部分を反射するが、その光の一部が反射膜１０を透過して、反射膜１０の下面に設けた４つの受光素子であるフォトダイオード１１、１２、１３、１４により反射膜１０を透過した光を受光することができる。この反射膜１０の一例として、ハーフミラー用いて、９５％の光を反射し、５％の光を透過させることができ、この透過した５％の光がフォトダイオードにより受光することができる。
【００１１】
反射膜１０と上面部３のレンズ４〜８の間の略中間部分には３つのフィルタ１５、１６、１７が備えられ、第１フィルタ１５は特定波長λ１の光を透過することが可能であり、第２フィルタ１６は別な特定波長λ２の光を透過可能であり、第３フィルタ１７は更に別な特定波長λ３の光を透過可能にしている。これらのフィルタ１５〜１７とレンズ４〜８及び反射膜１０は互いに対向して配置されており、レンズ４〜８の入出射を正確にしているとともに、フィルタ１５〜１７及び反射膜１０における反射を正確に行うことができる。レンズ４〜８の上部では、光ファイバ１８、１９、２０、２１、２２が接続されレンズ４〜８と光ファイバ１８〜２２との間で光の入出射を行うことができるようになっている。
【００１２】
本実施形態の光合分波器１を用いて異なる４つの波長λ１〜λ４の光を分波する方法について説明する。４つの異なる波長λ１〜λ４を多重化した光を第１光ファイバ１８のコア１８ａの先端から第１レンズ４に入射されると、第１レンズ４で光がコリメートされるとともに光軸が曲げられて、第１光路２３を通り反射膜１０まで進んでいく。反射膜１０に到達した光は、一部が透過されて第１フォトダイオード１１に受光されるとともに、残りの光は反射される。反射された光は第１フィルタ１５まで進行し、第１フィルタ１５のところで、波長λ１の光が透過され、透過した波長λ１の光は第２光路２４を通りレンズ５まで進行していき、レンズ５により集光されて第２光ファイバ１９のコア１９ａに入射される。
【００１３】
波長λ１以外の光は第１フィルタ１５により反射され反射膜１０に進行していき、反射膜１０で一部の光が透過され第２フォトダイオード１２に受光されるとともに残りの光が反射され、第２フィルタ１６に進んでいく。第２フィルタ１６では、波長λ２の光が透過され第３光路２５を通り第３レンズ６で集光されて第３光ファイバ２０のコア２０ａに入射される。波長λ２以外の光は第２フィルタ１６で反射され、反射膜１０で一部の光が透過され第３フォトダイオード１３で受光されるとともに残りの光は反射されて第３フィルタ１７のところまで進んでいく。
【００１４】
第３フィルタ１７では波長λ３の光が透過され第４光路２６を通り第４レンズ７で集光されて第４光ファイバ２１のコア２１ａに入射される。波長λ３以外の光は第３フィルタ１７で反射され反射膜１０まで進んで光の一部が反射膜１０を透過して第４フォトダイオード１４で受光されるとともに、残りの光である波長λ４の光は第５光路２７を通り第５レンズ８で集光されて第５光ファイバ２２のコア２２ａに入射される。このようにして、波長λ１〜λ４が多重化した光が第１〜第３フィルタ１５〜１７を透過或いは反射することで各波長λ１、λ２、λ３、λ４に分波することができる。本実施形態では図１に示すように、第１〜第３フィルタ１５〜１７を光路の途中にそれぞれ配置しているが、図２に示すように１枚のガラスプレートＧに第１〜第３フィルタ１５〜１７を配置して使用することも可能である。
【００１５】
次に本実形態の光合分波器を用いて異なる４つの波長λ１、λ２、λ３、λ４を合波する方法について説明する。異なる４つの波長λ１、λ２、λ３、λ４を合波するには、上述した分波方法と逆の方法を用いることで達成できる。すなわち、図１に示すように、第２光ファイバ１９のコア１９ａから波長λ１の光を第２レンズ５に入射させ、同様に第３光ファイバコア２０ａから波長λ２の光を、第４光ファイバコア２１ａから波長λ３の光を、第５光ファイバコア２２ａから波長λ４の光を、それぞれ第３レンズ６、第４レンズ７、第５レンズ８に入射させる。４つの波長λ１〜λ４の光は第２〜第５レンズによりコリメートされ、光軸を曲げられて第２〜第５光路２４〜２７を通り、反射膜１０により反射される。更に第１〜第３フィルタ１５〜１７により反射されて４つの波長λ１〜λ４の光が合波され、第１光路２３を通って第１レンズ４で集光されて第１光ファイバ１８のコア１８ａに入射される。このとき、第１〜第４フォトダイオードにより反射膜１０を透過した光の一部が受光される。
【００１６】
本実施形態の光合分波器を用いた光分波や光合波では、反射膜を透過した光を受光するための第１〜第４フォトダイオードが備えられているので、各フォトダイオードの受光状況を把握することで、光合分波器の異常を検知することができる。光合分波器に光の一部を受光する受光素子が備えられていない場合は、光の反射状況や進行状況が把握できないため、光合分波器の異常や故障を調べるのに長い時間を要していた。本発明にかかる光合分波器では、受光素子であるフォトダイオードを備え、各フォトダイオードの受光値が定められた値よりも低い場合には、光合分波器が正常に作動していないという判定を瞬時に行うことができる。
【００１７】
また、第１〜第４フォトダイオードの光の受光状況をコンピュータに接続して監視することも可能である。図３には、監視システムを搭載した光合分波器の実施形態の一例が示されている。この光合分波器１は、透過波長の異なる４つの光λ１、λ２、λ３、λ４があわさった多重光が第１光ファイバ１８に入射され、筐体２内でフィルタ（図示せず）で透過、或いは、反射を行う。そして、各波長の光に分波され、分波された４つの波長λ１、λ２、λ３、λ４の光が、それぞれ第２〜第５光ファイバ１９〜２２に入射可能となっている。筐体２の反射膜（図示せず）で光が反射する際に、一部の光が反射膜を透過して第１〜第４フォトダイオード１１〜１４で受光される。第１〜第４フォトダイオード１１〜１４のそれぞれで受光された受光状況が光パワー検出回路２８に送られる。光パワー検出回路２８では、各フォトダイオードで受光した光パワーを計算し、その信号をＡＤコンバータ２９に送り、アナログ信号をデジタル信号に変換する。デジタル信号は中央処理装置（ＣＰＵ）３０、インターフェース３１を経由してホスト側の機器３２を接続されている。
【００１８】
従って、中央処理装置３０はホストからの求めに応じて、常時光パワーを知らせることができ、光合分波器１の異常を迅速に検知することができる。また、中央処理装置３０は不揮発性メモリ３３とも接続されているので、不揮発性メモリに蓄積された情報をホストに通信することもでき、ホストは現在のシステムの状態を監視するとともに、光合分波器の光ファイバの誤挿入等の検出が可能となっている。なお、不揮発性メモリ３３には上位（ホスト）に通知する自らの情報（メーカ名、型番、シリアル番号等）を記憶させておくだけでなく、光合分波器の計算に必要なデータも入れておいてもよい。
【００１９】
例えば、光合分波器に、検査時等に予め基準光を入れて測定した各ポートから出る光パワーと受光素子が出力する光電流の比（後述する係数αやβ）を不揮発性メモリ３３に入力しておくと、中央処理装置３０では計測した光電流値から、出射光パワーを計算して上位に光パワーを通知することができる。光合分波器の合波と分波では計算式が異なるが、上位から現在どちらで使用されているのかの情報を受け取れば、中央処理装置３０内でのアルゴリズムを選択できる。
【００２０】
また、この図では外部と通信するのが中央処理装置となっているが、外部と中央処理装置との間にデュアルアクセスラム等を設けてメモリマップドの形にしてもよい。メモリマップド形式を用いた場合、プラガブルモジュールの上位との通信はＩ２Ｃ（登録商標）タイプが多いので、非常に利便性が向上する。また、光合分波器の筐体の内部にサーミスタを配置し、光合分波器の温度監視を行なっても良い。フィルタは使用可能な温度範囲があり、サーミスタにより温度管理を行って、温度範囲を超える場合などに上位（ホスト）にアラームを発して知らせることができる。
【００２１】
次に、４つの異なる波長の光を分波する場合の計算式の一例を説明する。第１レンズ４（図１参照）を透過してきた各波長の光パワーをＰλ１、Ｐλ２、Ｐλ３、Ｐλ４とし、反射膜１０とフィルタ１５、１６、１７とを往復する際に生じる損失をαとし、透過膜１０の透過率をβとすると、第１フォトダイオード１１で受光する光パワーは、Ｐ１＝β（Ｐλ１＋Ｐλ２＋Ｐλ３＋Ｐλ４）となる。第２、第３、第４フォトダイオード１２、１３、１４で受光する光パワーＰ２、Ｐ３、Ｐ４は、
Ｐ２＝βα（Ｐλ２＋Ｐλ３＋Ｐλ４）
Ｐ３＝βα２（Ｐλ３＋Ｐλ４）
Ｐ４＝βα３・Ｐλ４
となる。上述の計算式において、α、βは予め検査可能であるため、Ｐλｉ（ｉ＝１、２、３、４）は搭載した中央処理装置３０で計算することにより、リアルタイムで計算することができる。すなわち、本発明では波長ごとにフォトダイオードで受光する光パワーを計測することができる。そのため、光チャンネルが増設或いは減設されれば、その情報を直ちに上位（ホスト）を伝えることができ、例えば、どの光チャンネルが運用中であるかランプ等の表示手段により表示することが可能となる。
【００２２】
また、光合分波器の内部で故障が生じれば、その部位を特定し、故障した旨のアラームを鳴らすことも可能である。光合分波器の故障としては、レンズ系の位置ずれ、フィルタやミラー（半透明膜）の破損（クラック等）、光路上のゴミの付着などが考えられるが、入出射する各波長の光パワーが既知ならば、Ｐλｉ（ｉ＝１、２、３、４）と比較することにより光合分波器での故障の判断がし易くなる。
【００２３】
実際には、機器のシステム設計値よりもＰλｉ（ｉ＝１、２、３、４）が大きく違っていた場合には光合分波器、或いは光合分波器からモニタ値を入力されたホスト側の機器がアラームを発することができる。例えば、光合分波器の場合、そのアラームを受けた機器管理者は光合分波器の入力部で各波長の光パワーを測定するだけで容易に故障箇所を特定することができる。
【００２４】
従って、光合分波器までのパスを構成する上流パーツである光送信器、光ファイバ、コネクタ、モニタ、光合分波器に異常がないことを確認した後、光合分波器の下流パーツである、コネクタ、光ファイバ、モニタ、光受信器を検査すればよいこととなる。すなわち、光合分波器の上流パーツを試験・検査した後、下流パーツを試験・検査するので異常時の故障箇所の特定が容易になり、故障箇所特定のための労力を抑えることができる。特に、下流パーツは遠隔地に置かれることが多い為、本発明の光合分波器を用いると故障箇所が容易に特定でき、更に、光合分波器の各波長の光パワーをモニタしている結果、別な光信号源を設けることなく、下流の各パーツをテストすることができる。
【００２５】
また、光合分波器の筐体内に温度測定器（サーミスタ）を配置して、筐体内の温度を監視するようにすることもできる。光を透過或いは反射させるフィルタは、一般に使用可能な温度範囲が設定してあり、サーミスタにより筐体内の温度を監視することでフィルタが使用可能な温度範囲か否かの判定をすることができる。更に、フィルタの使用可能な温度範囲を越えそうな場合や越えた場合等には上位にアラームを発して警告することもできる。
【００２６】
次に、本発明にかかる光合分波器の別な実施形態について説明する。図４には、別な形態の光合分波器が示されており、この光合分波器４０は筐体４１を備え筐体４１の上面に第１〜第５開口部４２〜４６が形成されている。第１〜第５開口部４２〜４６にはそれぞれ第１〜第５ホルダ４７〜５１が配置されていて、それぞれのホルダ４７〜５１には第１〜第５レンズ５２〜５６が備えられている。第２〜第４タホルダ４８〜５０内には第１〜第３フィルタ５７〜５９が収容されていて特定波長の光を透過することができる。
【００２７】
第１〜第５ホルダ４７〜５１には第１〜第５スリーブ６０〜６４が装着可能となっており、これらのスリーブ６０〜６４には第１〜第５光ファイバ６５〜６９が取り付けられている。第１〜第５スリーブ６０〜６４は第１〜第５ホルダ４７〜５１に押し込んで嵌合させることにより、光学的な結合を行なうことができる。このようなホルダとスリーブを用いると光合分波器への光ファイバの取り付け、取り外しが容易となる。第１〜第５ホルダ４７〜５１は、傾斜させた構成であり、これらのホルダ４７〜５１に装着される第１〜第５スリーブ６０〜６４も傾斜しており、これらの傾斜角度は光の光軸と一致している。第１〜第５開口部４２〜４６と第１〜第５ホルダとの間には取り付け位置が調整可能な空間があり、第１〜第５ホルダ４７〜５１のそれぞれの中心を光軸に一致させることが可能となっている。
【００２８】
筐体４１の底面には反射膜７０が備えられ、光の一部を透過させることができる。また、筐体４１の底面には４つの開口部７１〜７４が形成されていて、これらの開口部７１〜７４に第１〜第４フォトダイオード７５〜７８が配置されている。開口部７１〜７４では第１〜第４フォトダイオード７５〜７８の取り付け位置が調整可能な空間が備えられ、第１〜第４フォトダイオードの中心を光の光軸と一致させることが可能となっている。この形態の光合分波器を用いて多重光を分波したり、波長の異なる光を合波する方法については、図１に示す形態の場合を同様である。
【００２９】
図１に示す形態の光合分波器では、正確な光軸の設定を行なうには、フィルタと反射膜とが高い平行性を有することが求められる。さらに各レンズ系が正確な位置に配置される必要があり、各部品に高い精度が求められる。これに対し、図４に示す実施形態ではフィルタとレンズ系が一体化されているので、一体化されたフィルタモジュールごとに調芯作業を行なえばよく、調芯作業が容易となるとともに、部品コストを抑制することができる。尚、筐体内は空洞でもよいが、筐体に代わりガラス等の透明材質のブロックを用いてもよい。この場合は、一部の光が透過可能な反射膜を用いるのではなく、ガラスブロックの表面に形成することも可能である。ただし、この場合は、フィルタモジュールを調芯固定する構造が必要となり、ガラスを用いた場合には複雑な構造が強度的に難しい場合があり、ガラスブロックの場合にも筐体は別途金属で作成することが望ましい。
【００３０】
また、第１〜第４フォトダイオード７５〜７８は個別のフォトダイオードを用いており、大口径（〜０．５ｍｍ）の受光窓をもつフォトダイオードを使用した場合、高い位置精度でなくても使用可能である。また、第１〜第４フォトダイオード７５〜７８はカン（ＣＡＮ）に入った個別のフォトダイオードであるが、反射膜７０の下側に、裏面入射型フォトダイオードをダイボンドしたものであってもよい。なお、ＣＡＮ内でのフォトダイオードチップの実装位置への要求精度はあまり高くなくてもよく、フォトダイオードチップダイボンドの歩留まりによってコストがあがることはない。更に、個別のフォトダイオードにかえて、アレイ型のフォトダイオードを用いることも可能である。一般に、通信用は長波長帯が多く、長波長の光素子の価格はチップ面積の影響を大きく受ける傾向があり、従って、面積の大きなフォトダイオードアレイは高価となりがちである。また、全体の大きさを数ｍｍ程度まで小さくしたフォトダイオードアレイを使用することも可能である。
【００３１】
図４に示す実施形態では、筐体４１の上面に対し第１〜第５ホルダ４７〜５１及び第１〜第５スリーブ６０〜６４が斜めに配置されているが、フィルタをの構造を変更することで垂直に配置することも可能である。図５（Ａ）にはそのようなフィルタモジュールの一例が示されている。このフィルタモジュール７９は、ホルダ８０内にフィルタ８１が配置されるとともにホルダ８０の上部にはレンズ８２が配置されている。このホルダ８０は光ファイバ８３が取り付けられているスリーブ８４と接続可能な構成となっている。フィルタ８０は底面が略平坦であるとともに、上面は傾斜しており、このような傾斜したフィルタ８０を用いると図５（Ｂ）の矢印に示すように光が進行することができる。
【００３２】
すなわち、光合分波器の筐体内から斜めに進行してきた光がフィルタ８０を透過すると、光の進行が曲げられ、更に、フィルタ８０の傾斜面８５を通過するときにも光が曲げられて垂直方向に光軸をもつ光となって光ファイバ８３に入射される。従って、このようなフィルタを用いると光合分波器の筐体の上面に垂直に取り付けることが可能となり、容易に取り付き精度を高めることができる。尚、光ファイバ８３から筐体内に光が進行する場合は、上述した光の進行と逆の進行となる。
【００３３】
図６には本発明に係る光合分波器の更に別な実施形態を示す。この光合分波器９０は、筐体９１の上面の開口部９２にフィルタ板９３が取り付けられている。このフィルタ板９３はガラス板９４に傾斜面を有する５つのガラスブロック９５〜９９設けられ、３つのガラスブロック９６〜９８には傾斜面に多層薄膜で形成した波長の異なるフィルタが接着している。４つのガラスブロック９６〜９９の上側では、スリーブ１０３内でガラスプレート１０４に取り付けられた４つのレンズ１０５〜１０８が配置されている。
【００３４】
スリーブ１０３の上面では、４つの光ファイバを収容した光ファイバユニット１０９が装着されているおり、この光ファイバユニット１０９とスリーブ１０３は筐体９１の上面に対し垂直に取り付けられた構成となっている。ガラスブロック９５の上側ではスリーブ１１０が取り付けられ、このスリーブ１１０内にレンズ１１１が収容されるとともに、スリーブ１１０の上側で光ファイバ１１２と接続されている。
【００３５】
筐体９１の下側には４つの開口部１１３〜１１６が形成されており、これらの開口部１１３〜１１６にカン（ＣＡＮ）型のフォトダイオードパッケージ１１７〜１２０が取り付けられている。これらのフォトダイオードパッケージ１１７〜１２０は、上面にキャップ１２１を装着し、このキャップ１２１には孔１２２が形成されている。そして、この孔１２２を塞ぐように反射膜１２３が設けられており、この反射膜は大部分の光を反射するとともに、光の一部を透過することができ、透過した光はフォトダイオードにより光のパワーを測定することができるようになっている。この実施形態の光合分波器の光の透過や反射については、前述の実施形態と略同様であるが、ガラスブロックでの光軸の屈折については、図５（Ｂ）に示す方法と同様となる。
【００３６】
また、この実施形態ではスリーブに複数（４本）の光ファイバを収容した多芯コネクタを採用している。多芯コネクタの場合には、各光ファイバの相対的な位置が固定されてしまうので、図４に示す実施形態のようにフィルタ側で調芯することができない。そこで、キャップ内に反射膜を収容したフォトダイオードパッケージを用いて筐体の下側開口部のところでフォトダイオードパッケージを調芯することで光軸をあわせることができる。前述したようにフォトダイオードアレイは高価であるが、本実施形態では個別のフォトダイオードパッケージを用いているので廉価である。従って、多芯コネクタであっても、低コストかつ容易に光をモニタリングすることができる光合分波器を製造することができる。
【００３７】
本実施形態においてガラスブロックを使用しているが、ガラスブロックは角度が４５°の直角プリズムである必要はなく、光合分波器の全体の設計（サイズ、コネクタ間隔等）にあわせて適宜変更可能であるが、傾斜が４５°であるとガラスブロックの作成が容易である。また、反射膜とガラスブロックの傾斜面との接着に使用する接着剤は光の波長を透過可能な接着材を使用する必要があり、一例として、長波長の光通信で用いられる１３００〜１６００ｎｍの波長を透過可能な接着剤を使用することが望ましい。尚、ガラスブロックのサイズにもよるが、フィルタの実装位置は光軸にあまり影響を及ぼさないので(各面が平面のため、少々ずれても光軸が動いたりしない)接着位置精度は高くなくてもよい。
【図面の簡単な説明】
【００３８】
【図１】本発明に係る光合分波器の主な構成を説明した説明図である。
【図２】フィルタの別な実施形態を説明した説明図である。
【図３】監視システムを搭載した光合分波器の一例を示す説明図である。
【図４】本発明に係る光合分波器の別な実施形態を示す説明図である。
【図５】（Ａ）はフィルタモジュールの実施形態を説明した説明図であり、（Ｂ）は光の進行を説明した説明図である。
【図６】本発明に係る光合分波器の更に別な実施形態を説明した説明図である。
【図７】従来の光合分波器の一例を示す説明図である。
【符号の説明】
【００３９】
１  光合分波器
２  筐体
４〜８  第１〜第５レンズ
９  反射膜
１１〜１４  第１〜第４フォトダイオード
１５〜１７  第１〜第３フィルタ
１８〜２２  第１〜第５光ファイバ
２３〜２７  第１〜第５光路
【図１】
2008026396.tif 000003
【図２】
2008026396.tif 000004
【図３】
2008026396.tif 000005
【図４】
2008026396.tif 000006
【図５】
2008026396.tif 000007
【図６】
2008026396.tif 000008
【図７】
2008026396.tif 000009